(57)【要約】【課題】設置の際及びメンテナンスの際などにおける作業負担を抑制することができる照明装置を提供することを目的としている。【解決手段】本体と、本体の下面側に設けられた照明ユニットと、本体の下面側に設けられ、本体の下面側の一部を覆う意匠面部と、を有し、意匠面部は、一端側が本体に支持されており、水平面に平行である第１の方向に平行な軸部であって、本体の下面側の一部を覆う閉状態と開放する開状態との２位置に少なくとも回動する軸部を有するものである。【選択図】図２
2015225800.tif 000002
【特許請求の範囲】
【請求項１】
本体と、
前記本体の下面側に設けられた照明ユニットと、
前記本体の下面側に設けられ、前記本体の下面側の一部を覆う意匠面部と、
を有し、
前記意匠面部は、
一端側が前記本体に支持されており、
水平面に平行である第１の方向に平行な軸部であって、前記本体の下面側の一部を覆う閉状態と開放する開状態との２位置に少なくとも回動する軸部を有する
ことを特徴とする照明装置。
【請求項２】
前記意匠面部は、
前記第１の方向に直交するとともに前記水平面に平行な第２の方向に並ぶように少なくとも１つ配置され、前記第２の方向に折りたたみ自在に構成された板状部を有する
ことを特徴とする請求項１に記載の照明装置。
【請求項３】
前記意匠面部は、
他端側の前記板状部に設けられ、前記本体にスライド自在に支持されるスライド部と、
前記軸部を有し、前記スライド部がスライド移動したとき複数の前記板状部が折りたたまれるように隣接する前記板状部同士を連結する連結部とを有する
ことを特徴とする請求項２に記載の照明装置。
【請求項４】
前記本体は、
前記照明ユニットに供給される電力を取り込むのに利用される電源端子台を備え、
前記意匠面部は、
前記本体の下面側の一部を覆っている前記閉状態において前記電源端子台を収容するように設けられている
ことを特徴とする請求項１〜３のいずれか一項に記載の照明装置。
【請求項５】
他端側の前記板状部の上端位置は、
前記意匠面部が前記閉状態のときにおいて前記電源端子台の下端位置よりも高く、
前記本体は、
他端側の前記板状部から一端側の前記板状部に向かうにしたがって下側に傾斜するように形成され、前記スライド部をスライド自在に支持するスライド溝部を有する
ことを特徴とする請求項４に記載の照明装置。
【請求項６】
他端側の前記板状部の上端側には、
前記閉状態と前記開状態との間におけるスライド状態において、前記電源端子台と干渉する位置に切欠部が形成されている
ことを特徴とする請求項３に従属する請求項４又は５に記載の照明装置。
【請求項７】
他端側の前記板状部の上端位置は、
前記意匠面部が前記閉状態のときにおいて前記電源端子台の下端位置よりも低く、
前記本体は、
水平方向に平行に形成され、前記スライド部をスライド自在に支持するスライド溝部を有する
ことを特徴とする請求項４に記載の照明装置。
【請求項８】
前記意匠面部は、
前記照明ユニットから照射された光を反射するように反射処理が施されている
ことを特徴とする請求項１〜７のいずれか一項に記載の照明装置。
【請求項９】
前記本体は、
前記電源端子台を備えた骨格部と、
前記骨格部の下側に設けられ、前記電源端子台と対向するように前記意匠面部が取り付けられた枠部とを有する
ことを特徴とする請求項４〜８のいずれか一項に記載の照明装置。
【請求項１０】
前記照明ユニットは、
前記意匠面部の両側部にそれぞれ配置されている
ことを特徴とする請求項１〜９のいずれか一項に記載の照明装置。
【請求項１１】
前記骨格部は、
前記意匠面部の上側に形成され、前記本体を天井に固定するのに利用される取付穴部を有する
ことを特徴とする請求項９又は１０に記載の照明装置。
【請求項１２】
前記意匠面部は、
一端側の第１の板状部と、前記第１の板状部に隣接する第２の板状部と、前記第２の板状部に隣接する第３の板状部と、前記第３の板状部に隣接する第４の板状部とを有し、
前記第１の板状部は、
前記本体に支持され、
前記第４の板状部は、
前記スライド部が設けられ、
前記第１の板状部と前記第２の板状部との間、前記第２の板状部と前記第３の板状部との間、及び前記第３の板状部と前記第４の板状部との間には、前記連結部がそれぞれ設けられている
ことを特徴とする請求項３、請求項３に従属する請求項４〜１１のいずれか一項に記載の照明装置。
【請求項１３】
前記意匠面部は、
一端側の第１の板状部と、前記第１の板状部に隣接する他端側の第２の板状部とを有し、
前記第１の板状部は、
前記スライド部が設けられ、
前記第２の板状部は、
前記スライド部がスライド移動したとき回転するように、回転自在に前記本体に設けられ、
前記第１の板状部と前記第２の板状部との間には、前記連結部が設けられている
ことを特徴とする請求項３、請求項３に従属する請求項４〜１１のいずれか一項に記載の照明装置。
【発明の詳細な説明】
【技術分野】
【０００１】
本発明は、照明装置に関する。
【背景技術】
【０００２】
照明装置には、たとえば、天井に取り付けられる本体と、本体の幅方向の中央部に取り付けられる反射板と、反射板の両脇にそれぞれ取り付けられる照明ランプ（発光部）とを備えたものが提案されている（たとえば、特許文献１参照）。
特許文献１に記載の技術は、本体のうちの反射板が取り付けられる位置に、本体を天井に固定するのに利用される本体取り付け穴が形成され、また、照明装置に電力を取り込むのに利用される電源端子台などが設置されている。そして、反射板が取り付けられていることにより、照明ランプの光が反射して効率的に室内に照射され、また、本体取り付け穴及び電源端子台が室内側に露出しないようになっている。
【０００３】
特許文献１に記載のような照明装置は、施工手順としては、本体取り付け穴及び電源端子台を覆っている反射板を一旦本体から取り外し、本体の取り付け及び結線工事を行ってから、一度外した反射板を取り付ける。
【先行技術文献】
【特許文献】
【０００４】
【特許文献１】特開２０１３−３３６８３号公報（たとえば、図１〜図３参照）
【発明の概要】
【発明が解決しようとする課題】
【０００５】
特許文献１に記載のような照明装置は、一般的に室内の天井などといった高所に設置される。このため、本体から反射板を着脱する作業、本体取り付け穴を利用して本体を天井に固定する作業、及び電源端子台の結線工事などは、脚立などに上って実施することになる。したがって、サービスマンなどは、脚立に乗った状態で、上述した作業及び工事のための部品などを持ち、作業及び工事にあたる必要がある。脚立上で作業をしていると、誤って部品を落下させる可能性がある。上述した作業及び工事だけでなく、たとえば照明装置が故障した際のメンテナンスでも同様のことが生じる。
すなわち、特許文献１に記載の照明装置では、照明装置を設置する際、及びメンテナンスする際などにおけるサービスマンの作業負担が大きくなってしまうという課題がある。
【０００６】
本発明は、以上のような課題を解決するためになされたもので、設置の際及びメンテナンスの際などにおける作業負担を抑制することができる照明装置を提供することを目的としている。
【課題を解決するための手段】
【０００７】
本発明に係る照明装置は、本体と、本体の下面側に設けられた照明ユニットと、本体の下面側に設けられ、本体の下面側の一部を覆う意匠面部と、を有し、意匠面部は、一端側が本体に支持されており、水平面に平行である第１の方向に平行な軸部であって、本体の下面側の一部を覆う閉状態と開放する開状態との２位置に少なくとも回動する軸部を有するものである。
【発明の効果】
【０００８】
本発明に係る照明装置によれば、上記構成を有しているため、設置の際及びメンテナンスの際などにおける作業負担を抑制することができる。
【図面の簡単な説明】
【０００９】
【図１】本発明の実施の形態１に係る照明装置１００の全体図である。
【図２】本発明の実施の形態１に係る照明装置１００の分解斜視図である。
【図３】本発明の実施の形態１に係る照明装置１００の枠部１１０Ｂ及び枠部１１０Ｂに取り付けられた意匠面部４００の斜視図である。
【図４】本発明の実施の形態１に係る照明装置１００の意匠面部４００の斜視図である。
【図５】図４に示す点線Ｒの領域の拡大図である。
【図６】本発明の実施の形態１に係る照明装置１００の意匠面部４００を開いた状態の斜視図である。
【図７ａ】意匠面部４００が閉じている状態を説明する縦断面図である。
【図７ｂ】意匠面部４００が閉じている状態における電源端子台２０１と意匠面部４００との関係を説明する縦断面図である。
【図８ａ】意匠面部４００が開いている状態を説明する縦断面図である。
【図８ｂ】意匠面部４００が開いている状態における電源端子台２０１と意匠面部４００との関係を説明する縦断面図である。
【図９】本発明の実施の形態１に係る照明装置１００の意匠面部４００の変形例（意匠面部４００Ｂ）である。
【図１０】本発明の実施の形態２に係る照明装置１００Ｂの枠部１１０Ｂ及び枠部１１０Ｂに取り付けられた意匠面部６００の斜視図である。
【図１１】本発明の実施の形態２に係る照明装置１００Ｂの意匠面部６００の斜視図である。
【図１２】図１１に示す点線Ｒの領域の拡大図である。
【図１３】本発明の実施の形態２に係る照明装置１００Ｂの意匠面部６００を開いた状態の斜視図である。
【図１４ａ】意匠面部６００が閉じている状態を説明する縦断面図である。
【図１４ｂ】意匠面部６００が閉じている状態における電源端子台２０１と意匠面部６００との関係を説明する縦断面図である。
【図１５ａ】意匠面部６００が開いている状態を説明する縦断面図である。
【図１５ｂ】意匠面部６００が開いている状態における電源端子台２０１と意匠面部６００との関係を説明する縦断面図である。
【発明を実施するための形態】
【００１０】
以下、本発明に係る照明装置の実施の形態について、図面を参照しながら説明する。なお、以下に説明する実施の形態によって本発明が限定されるものではない。また、図１を含め、以下の図面では各構成部材の大きさの関係が実際のものとは異なる場合がある。
【００１１】
実施の形態１．
図１は、本実施の形態１に係る照明装置１００の全体図である。図２は、本実施の形態１に係る照明装置１００の分解斜視図である。図３は、本実施の形態１に係る照明装置１００の枠部１１０Ｂ及び枠部１１０Ｂに取り付けられた意匠面部４００の斜視図である。図４は、本実施の形態１に係る照明装置１００の意匠面部４００の斜視図である。図５は、図４に示す点線Ｒの領域の拡大図である。図１及び図２に基づいて、照明装置１００について説明する。
本実施の形態１に係る照明装置１００は、設置の際及びメンテナンスの際などにおける作業負担を抑制することができる改良が加えられたものである。
【００１２】
［照明装置１００の構成説明］
照明装置１００は、固定具（図示せず）を介してたとえば天井に取り付けられ、照明ランプユニット１１３に備えられた照明ランプ１１３Ａが点灯することによって床面、室内空間などに光が照射される。照明装置１００は、たとえば天井などに取り付けられる本体１１０と、本体１１０に取り付けられ、光を照射する複数の照明ランプユニット１１３と、照明ランプユニット１１３に取り付けられるカバー１１４と、照明ランプユニット１１３とともに本体１１０に取り付けられる意匠面部４００とを備えているものである。
なお、以下の説明において、水平面に平行であって意匠面部４００の長手方向に対応する方向を第１の方向Ｘと称する。また、水平面に平行であって第１の方向に直交する方向を第２の方向Ｙと称する。
【００１３】
（本体１１０）
本体１１０は、たとえば天井などに固定される骨格部１１０Ａと、骨格部１１０Ａの下側に取り付けられる枠部１１０Ｂとを有しているものである。また、本体１１０は、照明ランプユニット１１３を点灯するのに利用される点灯装置２００と、照明装置１００内に電力を取り込むのに利用される電源端子台２０１とを有している。
【００１４】
骨格部１１０Ａは、平板状の平面部１１０Ａ１と、平面部１１０Ａ１の端部側に立設するように設けられた立設部１１０Ａ２と、電源端子台２０１などが設けられた中間部１１０Ａ３とを有している。
平面部１１０Ａ１は、室内などの天井面にたとえばねじなどで固定される四角形状の平板である。平面部１１０Ａ１は、照明ランプユニット１１３が設置される位置が開口形成された解放部Ｔ１を有している。この解放部Ｔ１が形成されていることにより、照明ランプユニット１１３の熱の放射が促進される。これにより、照明ランプユニット１１３が、たとえばＬＥＤを用いている場合には、熱による寿命低下（サーマルデケイ）などを抑制することができる。立設部１１０Ａ２は、平面部１１０Ａ１とたとえば直交するように、平面部１１０Ａ１の四方の端部にそれぞれ設けられているものである。立設部１１０Ａ２のうちの一つには、点灯装置２００が設置されている。中間部１１０Ａ３は、意匠面部４００の上側に意匠面部４００と対向するように設けられているものである。中間部１１０Ａ３は、平面部１１０Ａ１の解放部Ｔ１に跨るように設けられているものである。中間部１１０Ａ３は、第１の方向に延びるように形成されているものである。中間部１１０Ａ３には、本体１１０を天井に取り付ける際に利用される取付穴部３００及び電源端子台２０１などが設けられている。
【００１５】
枠部１１０Ｂは、意匠面部４００を枠部１１０Ｂに支持するのに利用されるスライド溝部４５０及び穴部４５１が形成された第１の面部１１０Ｂ１と、第１の面部１１０Ｂ１の対向位置に形成された第２の面部１１０Ｂ２とを有している。
スライド溝部４５０は、第２の方向Ｙに平行であって意匠面部４００の他方側から一方側に向かうにしたがって、下側に傾斜するように形成されているものである。すなわち、スライド溝部４５０は、下側に傾斜する傾斜部４５０Ａを有している。また、スライド溝部４５０は、傾斜部４５０Ａと交差するように、傾斜部４５０Ａの他端に形成されたストッパー部４５０Ｂを有している。サービスマンなどが意匠面部４００を閉じると、後述する意匠面部４００の第４の板状部４０４に接続されたスライド部５０５が、ストッパー部４５０Ｂに引っ掛かり、意匠面部４００が勝手に開いてしまうことを防止することができる。なお、図示は省略しているが、第２の面部１１０Ｂ２にも、スライド溝部４５０及び穴部４５１が形成されている。このように、意匠面部４００は、第１の方向Ｘの一端側が第１の面部１１０Ｂ１に支持され、第１の方向Ｘの他端側が第２の面部１１０Ｂ２に支持されている。
【００１６】
枠部１１０Ｂは、第３の面部１１０Ｂ３と、第３の面部１１０Ｂ３の対向位置に形成されている第４の面部１１０Ｂ４とを有している。第３の面部１１０Ｂ３及び第４の面部１１０Ｂ４は、第１の面部１１０Ｂ１及び第２の面部１１０Ｂ２と交差するように形成されている。第３の面部１１０Ｂ３及び第４の面部１１０Ｂ４は、照明ランプユニット１１３から照射された光が室内側に反射するように、第２の方向Ｙに向かうにしたがって下側に傾斜する傾斜面を有している。
【００１７】
枠部１１０Ｂは、照明ランプユニット１１３を設置するのに利用される設置部１１０Ｂ５を有している。すなわち、設置部１１０Ｂ５は、照明ランプユニット１１３を設置するための収容スペースであり、枠部１１０Ｂにはこの設置部１１０Ｂ５が意匠面部４００を境にしてそれぞれ一つずつ形成されている。枠部１１０Ｂは、設置部１１０Ｂ５の形成されている部分の一部が開口形成された解放部Ｔ２を有している。枠部１１０Ｂが骨格部１１０Ａに取り付けられている状態において、骨格部１１０Ａの解放部Ｔ１と枠部１１０Ｂの解放部Ｔ２とは連通しており、照明ランプユニット１１３の熱の放射が促進されるようになっている。
【００１８】
枠部１１０Ｂには、後述するカバー１１４に形成された爪部１１４Ｂを係止するのに利用されるスリット３０１が複数形成されている。スリット３０１は、第１の方向Ｘに平行に並ぶように複数形成されている。本実施の形態１では、爪部１１４Ｂの数に対応して、１つのカバー１１４に対して４つのスリット３０１が形成されている。すなわち、枠部１１０Ｂは、カバー１１４が２つ取り付けられるので８つのスリット３０１が形成されている。
【００１９】
点灯装置２００は、照明ランプユニット１１３の照明ランプ１１３Ａに電力を供給するための電気回路などを有するものである。たとえば、点灯装置２００は、電源端子台２０１から取り込んだ電力を予め設定された電圧などにして照明ランプ１１３Ａに供給するものである。点灯装置２００は、たとえば、骨格部１１０Ａの端側に設置される。
【００２０】
電源端子台２０１は、天井などに引かれた配線などに電気的に接続され、照明装置１００内に、照明ランプ１１３Ａに供給される電力を取り込むのに利用されるものである。電源端子台２０１は、骨格部１１０Ａの中間部１１０Ａ３に設けられている。
【００２１】
（照明ランプユニット１１３）
照明ランプユニット１１３は、本体１１０の下面側に設けられているものである。より具体的には、照明ランプユニット１１３は、骨格部１１０Ａに取り付けられて固定されるとともに、その周囲が枠部１１０Ｂ及び意匠面部４００に囲まれるように本体１１０に設けられているものである。本実施の形態１では、照明ランプユニット１１３は、意匠面部４００の両脇（両側部）にそれぞれ設けられている。すなわち、意匠面部４００を境にして、一方の照明ランプユニット１１３及び他方の照明ランプユニット１１３が本体１１０に設置されている。
【００２２】
照明ランプユニット１１３は、２つの照明ランプ１１３Ａ（又は照明ユニット）と、２つの照明ランプ１１３Ａが取り付け自在に構成されたユニット本体１１３Ｂとを有している。すなわち、照明装置１００は、２つの照明ランプユニット１１３を有しているので、計４つの照明ランプ１１３Ａを有している。照明ランプ１１３Ａは、たとえば、筒状のカバー、カバーの一端側に取り付けられた図示省略の給電口金、カバーの他端側に取り付けられた図示省略のアース口金、及び、カバーに収納され、複数のＬＥＤパッケージが設けられた発光ユニットなどから構成することができる。なお、照明ランプ１１３Ａは、ＬＥＤタイプのものに限定されるものではなく、蛍光灯タイプのものを採用することもできる。また、照明ランプ１１３Ａは口金を設けず、コネクタなどにより給電されるものでもよい。
【００２３】
ユニット本体１１３Ｂは、平面視形状がたとえば四角形状のものであり、本体１１０の骨格部１１０Ａに固定されるものである。ユニット本体１１３Ｂは、照明ランプ１１３Ａの給電口金及びアース口金を取り付ける一対のソケット（図示省略）を有している。照明ランプ１１３Ａは、このソケットによってユニット本体１１３Ｂに支持されるとともに、ソケットを介して照明用の電力が供給される。ユニット本体１１３Ｂを骨格部１１０Ａに固定する手段は、特に限定されるものではないが、たとえば、ユニット本体１１３Ｂ及び骨格部１１０Ａを、ユニット本体１１３Ｂの上部に爪部を形成して骨格部１１０Ａに係止するように構成してもよい。また、ユニット本体１１３Ｂを骨格部１１０Ａにねじなどで固定してもよい。
【００２４】
（カバー１１４）
カバー１１４は、照明ランプユニット１１３の下面側に取り付けられるものである。カバー１１４は、水平面に平行な平面部１１４Ａと、平面部１１４Ａの端部に形成された複数の爪部１１４Ｂと、平面部１１４Ａに直交するように形成された片部１１４Ｃと、片部１１４Ｃを中間部１１０Ａ３に締結するのに利用される複数のネジ１１４Ｄとを有しているものである。
【００２５】
平面部１１４Ａは、たとえば四角形状に形成され、照明ランプユニット１１３の照明ランプ１１３Ａが露出するように四角形状の開口部１１４Ａ１が形成されているものである。
爪部１１４Ｂは、平面部１１４Ａの端部に形成されているものである。爪部１１４Ｂは、第１の方向Ｘに平行に並ぶようにたとえば４つ形成されている。爪部１１４Ｂは、枠部１１０Ｂのスリット３０１に挿入される。
片部１１４Ｃは、カバー１１４が照明ランプユニット１１３に取り付けられている状態において、一方側の面が意匠面部４００に対向し、他方側の面がユニット本体１１３Ｂに対向するように設けられているものである。片部１１４Ｃには、ネジ１１４Ｄが挿入されて中間部１１０Ａ３に固定される。
【００２６】
（意匠面部４００）
意匠面部４００は、本体１１０の下面側に設けられ、本体１１０の下面側の一部を覆うものである。そして、意匠面部４００は、一端側が本体１１０に支持されており、本体１１０の下面側の一部を覆う閉状態と本体１１０の下面側の一部を開放する開状態との２位置に少なくとも回動する、水平面に平行な第１の方向に平行な軸部を有しているものである。
【００２７】
意匠面部４００は、照明ランプ１１３Ａを備えた照明ランプユニット１１３の脇（側部）に設けられ、水平面に平行な第１の方向Ｘに延びるように形成されているものである。すなわち、意匠面部４００は、照明ランプユニット１１３の間に設置された長尺状部材である。そして、意匠面部４００は、本体１１０の下面側の一部を覆っている閉状態において電源端子台２０１を収容するように設けられており、意匠面としての機能を有する。本実施の形態１において意匠面部４００が覆っている部分は、本体１１０の骨格部１１０Ａの中間部１１０Ａ３である。
【００２８】
意匠面部４００は、照明ランプユニット１１３の照明ランプ１１３Ａから照射された光を反射するように構成された反射板としての機能を有する。すなわち、反射板としての意匠面部４００には、たとえば白色の光反射塗料の塗布や、アルミ蒸着などの反射処理が施されている。
【００２９】
意匠面部４００は、本体１１０の下面側の一部が開閉されるように第１の方向Ｘに平行な軸部を有する。このように、軸部を有するため、意匠面部４００は、開閉自在となっている。すなわち、意匠面部４００は、軸部が動作することで、中間部１１０Ａ３を露出したり、覆ったりすることができる。なお、ここで説明した軸部とは、連結部Ｌ１〜Ｌ３（図７ａ及び図７ｂ及び図８ａ及び図８ｂ参照）が有しているピン部５０２〜５０４に対応している。次に、連結部Ｌ１〜Ｌ３などを含む意匠面部４００の構成について詳しく説明する。
【００３０】
意匠面部４００は、第１の方向Ｘに直交するとともに水平面に平行な第２の方向Ｙに並ぶように複数配置され、第２の方向Ｙに折りたたみ自在に構成された板状部を有している。ここで、板状部とは、第１の板状部４０１、第２の板状部４０２、第３の板状部４０３及び第４の板状部を総称したものである。すなわち、意匠面部４００は、一端側の第１の板状部４０１と、第１の板状部４０１に隣接する第２の板状部４０２と、第２の板状部４０２に隣接する第３の板状部４０３と、第３の板状部４０３に隣接する第４の板状部４０４とを有している。
【００３１】
＜第１の板状部４０１＞
第１の板状部４０１は、本体１１０の枠部１１０Ｂに固定されているものである。第１の板状部４０１は、長手方向である第１の方向Ｘに延びるように形成されているものである。第１の板状部４０１は、意匠面部４００が中間部１１０Ａ３を開放している状態においても、覆っている状態においても、ユニット本体１１３Ｂの脇に位置するとともに、鉛直方向に平行となるように設けられている。第１の板状部４０１の短手辺部には、図５に示すように、一端側（上端側）に片部４０１Ａが形成されているとともに、他端側（下端側）に片部４０１Ｂが形成されているものである。
【００３２】
片部４０１Ａには、第１の面部１１０Ｂ１（第２の面部１１０Ｂ２）に形成された穴部４５１に接続されている接続部５０１が接続されている。すなわち、第１の板状部４０１は、接続部５０１によって枠部１１０Ｂに支持されている。なお、接続部５０１をたとえばリベットなどで構成し、第１の板状部４０１が枠部１１０Ｂに対して回転自在となるように構成してもよい。また、接続部５０１は、回転しない部材で構成して第１の板状部４０１を枠部１１０Ｂに固定し、意匠面部４００を開いている状態でも閉じている状態でも、第１の板状部４０１が鉛直方向に平行な姿勢を保つようにしてもよい。
【００３３】
片部４０１Ｂには、第１の板状部４０１と第２の板状部４０２とが回転自在となるように、第１の板状部４０１と第２の板状部４０２とを連結するのに利用されるピン部５０２が接続されている。すなわち、片部４０１Ｂには、ピン部５０２が挿入される開口部（図示省略）が形成されており、その開口部にピン部５０２が挿入されている。ピン部５０２は、たとえば、リベットなどを採用することができる。
【００３４】
＜第２の板状部４０２＞
第２の板状部４０２は、一端側が第１の板状部４０１に回転自在に連結されているとともに、他端側が第３の板状部４０３に回転自在に連結されているものである。第２の板状部４０２は、長手方向である第１の方向Ｘに延びるように形成されているものである。意匠面部４００が中間部１１０Ａ３を覆っている状態から開放している状態に移る場合において、第２の板状部４０２は、ピン部５０２及び後述するピン部５０３の作用によって移動する。第２の板状部４０２の短手辺部には、図５に示すように、一端側（上端側）に片部４０２Ａが形成されているとともに、他端側（下端側）に片部４０２Ｂが形成されているものである。
【００３５】
片部４０２Ａには、第１の板状部４０１と第２の板状部４０２とが回転自在となるように、第１の板状部４０１と第２の板状部４０２とを連結するのに利用されるピン部５０２が接続されている。すなわち、片部４０２Ａには、片部４０１Ｂと同様に、ピン部５０２が挿入される開口部（図示省略）が形成されている。そして、片部４０２Ａ及び片部４０１Ｂを重ね合わせた状態で、片部４０２Ａの開口部及び片部４０１Ｂの開口部にピン部５０２が挿入されている。
【００３６】
片部４０２Ｂには、第２の板状部４０２と第３の板状部４０３とが回転自在となるように、第２の板状部４０２と第３の板状部４０３とを連結するのに利用されるピン部５０３が接続されている。すなわち、片部４０２Ｂには、ピン部５０３が挿入される開口部（図示省略）が形成されており、その開口部にピン部５０３が挿入されている。ピン部５０２は、たとえば、リベットなどを採用することができる。
【００３７】
＜第３の板状部４０３＞
第３の板状部４０３は、一端側が第２の板状部４０２に回転自在に連結されているとともに、他端側が第４の板状部４０４に回転自在に連結されているものである。第３の板状部４０３は、長手方向である第１の方向Ｘに延びるように形成されているものである。意匠面部４００が中間部１１０Ａ３を覆っている状態から開放している状態に移る場合において、第３の板状部４０３は、ピン部５０３及び後述するピン部５０４の作用によって移動する。第３の板状部４０３の短手辺部には、図５に示すように、一端側（下端側）に片部４０３Ａが形成されているとともに、他端側（上端側）に片部４０３Ｂが形成されているものである。
【００３８】
片部４０３Ａには、第２の板状部４０２と第３の板状部４０３とが回転自在となるように、第２の板状部４０２と第３の板状部４０３とを連結するのに利用されるピン部５０３が接続されている。すなわち、片部４０３Ａには、ピン部５０３が挿入される開口部（図示省略）が形成されている。そして、片部４０３Ａ及び片部４０２Ｂを重ね合わせた状態で、片部４０３Ａの開口部及び片部４０２Ｂの開口部にピン部５０３が挿入されている。
【００３９】
片部４０３Ｂには、第３の板状部４０３と第４の板状部４０４とが回転自在となるように、第３の板状部４０３と第４の板状部４０４とを連結するのに利用されるピン部５０４が接続されている。すなわち、片部４０３Ｂには、ピン部５０４が挿入される開口部（図示省略）が形成されており、その開口部にピン部５０４が挿入されている。ピン部５０２は、たとえば、リベットなどを採用することができる。
【００４０】
＜第４の板状部４０４＞
第４の板状部４０４は、一端側が第３の板状部４０３に回転自在に連結されているものである。また、第４の板状部４０４は、他端側が本体１１０の枠部１１０Ｂにスライド自在に支持されているものである。第４の板状部４０４は、長手方向である第１の方向Ｘに延びるように形成されているものである。意匠面部４００が中間部１１０Ａ３を覆っている状態から開放している状態に移る場合において、第４の板状部４０４は、ピン部５０４及び後述するスライド部５０５の作用によって移動する。第４の板状部４０４の短手辺部には、図５に示すように、一端側（下端側）に片部４０４Ａが形成されているとともに、他端側（上端側）に片部４０４Ｂが形成されているものである。
【００４１】
片部４０４Ａには、第３の板状部４０３と第４の板状部４０４とが回転自在となるように、第３の板状部４０３と第４の板状部４０４とを連結するのに利用されるピン部５０４が接続されている。すなわち、片部４０４Ａには、ピン部５０４が挿入される開口部（図示省略）が形成されている。そして、片部４０４Ａ及び片部４０３Ｂを重ね合わせた状態で、片部４０４Ａの開口部及び片部４０３Ｂの開口部にピン部５０４が挿入されている。
【００４２】
片部４０４Ｂには、第４の板状部４０４をスライド自在に支持するのに利用されるスライド部５０５が接続されている。スライド部５０５は、一端側が片部４０４Ｂに接続され、他端側が枠部１１０Ｂに形成されたスライド溝部４５０にスライド自在に取り付けられているものである。すなわち、第４の板状部４０４は、スライド部５０５及びスライド溝部４５０により枠部１１０Ｂにスライド自在に係止されている。
【００４３】
ここで、本実施の形態１では、第４の板状部４０４が、ユニット本体１１３Ｂの側面に対向するように、ユニット本体１１３Ｂの脇に配置される態様となっている。すなわち、その分だけ第４の板状部４０４は、第２の板状部４０２及び第３の板状部４０３と比較すると、上側に配置されることとなる。そして、意匠面部４００が閉状態のときにおいて、第４の板状部４０４の上端の高さ位置は、電源端子台２０１の下端の高さ位置よりも高くなっている。このため、第４の板状部４０４は、意匠面部４００を開閉している際に、電源端子台２０１と干渉してしまいやすい位置に配置された構成である。そこで、第４の板状部４０４には、複数の切欠部４０４Ｃが形成されている。また、それに加えて、スライド溝部４５０も下側に傾斜するように形成されている。切欠部４０４Ｃは、第４の板状部４０４の上端のうち、意匠面部４００の閉状態と開状態との間におけるスライド状態において電源端子台２０１が干渉する位置に形成されているものである。
【００４４】
このように、意匠面部４００にはこの切欠部４０４Ｃが形成されるとともに、スライド溝部４５０が傾斜するように形成されているため、意匠面部４００を開閉している際に、中間部１１０Ａ３に設置された各種構成、たとえば電源端子台２０１が第４の板状部４０４に引っ掛かって干渉してしまうことを防止することができる。
【００４５】
なお、図５では省略しているが、片部４０１Ａ及び片部４０１Ｂ、片部４０２Ａ及び片部４０２Ｂ、片部４０３Ａ及び片部４０３Ｂ、片部４０４Ａ及び片部４０４Ｂは、一方の短手辺部だけでなく、対となる他方となる短手辺部にも同様に形成されている。
【００４６】
ここで、連結部Ｌ１は、片部４０１Ｂ、片部４０２Ａ及びピン部５０２に対応する構成である。また、連結部Ｌ２は、片部４０２Ｂ、片部４０３Ａ及びピン部５０３に対応する構成である。さらに、連結部Ｌ３は、片部４０３Ｂ、片部４０４Ａ及びピン部５０４に対応する構成である。そして、連結部Ｌ１〜Ｌ３は、軸部（ピン部５０２〜５０４）を有し、スライド部５０５がスライド移動したとき複数の板状部が折りたたまれるように隣接する板状部同士を連結している。
【００４７】
［動作説明］
図６は、本実施の形態１に係る照明装置１００の意匠面部４００を開いた状態の斜視図である。図７ａは、意匠面部４００が閉じている状態を説明する縦断面図である。図７ｂは、意匠面部４００が閉じている状態における電源端子台２０１と意匠面部４００との関係を説明する縦断面図である。図８ａは、意匠面部４００が開いている状態を説明する縦断面図である。図８ｂは、意匠面部４００が開いている状態における電源端子台２０１と意匠面部４００との関係を説明する縦断面図である。図６〜図８を参照して照明装置１００の意匠面部４００の開閉動作について説明する。
【００４８】
図７ａに示すように、意匠面部４００を閉じている状態では、意匠面部４００の上側（中間部１１０Ａ３）が露出していない。この図７ａに示す状態から、図６及び図８ａに示すように意匠面部４００の第４の板状部４０４をスライド移動させると、連結部Ｌ１、連結部Ｌ２及び連結部Ｌ３の軸部の作用により、第１の板状部４０１、第２の板状部４０２、第３の板状部４０３及び第４の板状部４０４が、折りたたまれる。すなわち、第２の板状部４０２、第３の板状部４０３及び第４の板状部４０４が、第１の板状部４０１側に寄る。これにより、意匠面部４００の上側（中間部１１０Ａ３）が露出する。
【００４９】
ここで、図７ｂに示すように、意匠面部４００が閉状態のときにおいて、意匠面部４００の第４の板状部４０４の上端の高さ位置Ｚ１は、電源端子台２０１の下端の高さ位置Ｚ２よりも上側になっている。このため、スライド溝部４５０が傾斜するように形成されるとともに、切欠部４０４Ｃが形成されている。これにより、図７ｂの閉状態から図８ｂの開状態に移る際に、第４の板状部４０４が電源端子台２０１に引っ掛かってしまうことが防止されるようになっている。
【００５０】
［実施の形態１に係る照明装置１００の有する効果］
本実施の形態１に係る照明装置１００の意匠面部４００は、本体１１０の下面側の一部が開閉されるように第１の方向Ｘに平行な軸部を有するものである。すなわち、本実施の形態１に係る照明装置１００の意匠面部４００は、複数の板状部同士が、軸部を有する連結部Ｌ１〜Ｌ３で連結されているため、折りたたみ自在となっている。このため、設置の際及びメンテナンスの際などにおいて、サービスマンなどは、意匠面部４００を着脱などの作業をしなくてもよく、サービスマンなどの作業負担を抑制することができる。
【００５１】
本実施の形態１に係る照明装置１００は、意匠面部４００を着脱しなくても、メンテナンスなどができるので、メンテナンス作業の効率を向上させることができる。
【００５２】
本実施の形態１に係る照明装置１００は、たとえばドライバーなどで意匠面部４００をネジ止めするなどの作業をしなくてもよいため、脚立上で作業している際に、誤ってドライバー、ネジなどの部品を落下させてしまうことを抑制することができる。
【００５３】
なお、本実施の形態１では、本体１１０の平面視形状が四角形状を有しているものを例に説明しているが、それに限定されるものではなく、たとえば四角形以外の多角形でもよいし、円形、楕円形などであってもよい。
【００５４】
また、本実施の形態１では、照明ランプユニット１１３の数が２つである場合を例に説明したが、それに限定されるものではない。たとえば、照明ランプユニット１１３が１つでも、３つ以上であっても本実施の形態１に係る照明装置１００と同様の効果を得ることができる。
【００５５】
また、本実施の形態１では、複数の切欠部４０４Ｃを形成すること、及び、スライド溝部４５０を下側に傾斜するように形成すること、の両方の構成を有するものとして説明したが、それに限定されるものではない。たとえば、いずれか一方の構成だけであっても、意匠面部４００が電源端子台２０１に干渉しにくくなる効果を得ることができる。なお、両方の構成を有する方が、より容易に、電源端子台２０１との干渉を防止することができる。
【００５６】
［変形例］
図９は、本実施の形態１に係る照明装置１００の意匠面部４００の変形例（意匠面部４００Ｂ）である。なお、図９は、意匠面部４００Ｂを広げた状態における上面図である。本実施の形態１では、意匠面部４００に連結部Ｌ１〜Ｌ３を設けることで隣接する板状部同士を回転させ、意匠面部４００を折りたたみ自在としたものであった。ここで、連結部Ｌ１〜Ｌ３は、上述した片部及びピン部などの構成に限定されるものではない。たとえば、図９に示すように、たとえば弾性を有する薄膜部材Ｌ１０で隣接する板状部を接続してもよい。たとえば、薄膜部材Ｌ１０は、隣接する板状部を連結できるように、粘着性を有する樹脂などで構成することができる。この態様であっても、隣接する板状部同士は、薄膜部材Ｌ１０を軸として回転動作をすることができ、本実施の形態１に係る照明装置１００と同様の効果を得ることができる。この薄膜部材Ｌ１０の他にも、ヒンジなどを採用することもできる。
【００５７】
実施の形態２．
図１０は、実施の形態２に係る照明装置１００Ｂの枠部１１０Ｂ及び枠部１１０Ｂに取り付けられた意匠面部６００の斜視図である。図１１は、本実施の形態２に係る照明装置１００Ｂの意匠面部６００の斜視図である。図１２は、図１１に示す点線Ｒの領域の拡大図である。図１０〜図１２を参照して、実施の形態２に係る照明装置１００Ｂの構成について説明する。なお、本実施の形態２では、実施の形態１とは共通する構成については同一符号を付し、相違点について中心に説明する。
【００５８】
［構成説明］
実施の形態１では、意匠面部４００が４つの板状部を有する態様であったが、本実施の形態２では、意匠面部６００が２つの板状部を有する態様となっている。また、本実施の形態２では、スライド溝部６５０が、下側に傾斜したものではなく、水平方向に平行に形成されている点で実施の形態１とは異なる。
【００５９】
（本体１１０）
本体１１０の枠部１１０Ｂには、水平方向に平行なスライド溝部６５０が形成されている。スライド溝部６５０は、水平方向に平行な直線状である水平部６５０Ａと、水平部６５０Ａの一端に形成されたストッパー部６５０Ｃと、水平部６５０Ａの他端に形成されたストッパー部６５０Ｂとを有している。ストッパー部６５０Ｂ及びストッパー部６５０Ｃは、水平部６５０Ａに対して交差するように下側に突出するように形成されている。ストッパー部６５０Ｂは意匠面部６００が閉状態のときに利用されるものであり、ストッパー部６５０Ｃは意匠面部６００が開状態のときに利用されるものである。
【００６０】
（意匠面部６００）
意匠面部６００は、図１１及び図１２に示すように、一方側の第１の板状部６０１と、第１の板状部６０１に隣接する他方側の第２の板状部６０２とを有しているものである。
【００６１】
＜第１の板状部６０１＞
第１の板状部６０１は、スライド部５０８がスライド移動したとき回転するように、回転自在に本体１１０の枠部１１０Ｂに設けられているものである。第１の板状部６０１の短手辺部には、一端側（上端側）に片部６０１Ａが形成され、他端側（下端側）に片部６０１Ｂが形成されているものである。片部６０１Ａには、枠部１１０Ｂの穴部４５１に回転自在に設けられた接続部５０６が接続されている。また、片部６０１Ｂには、第１の板状部６０１と第２の板状部６０２とが回転自在となるように、第１の板状部６０１と第２の板状部６０２とを連結するのに利用されるピン部５０７が接続されている。すなわち、片部６０１Ｂには、ピン部５０７が挿入される開口部（図示省略）が形成されており、その開口部にピン部５０７が挿入されている。ピン部５０７は、たとえば、リベットなどを採用することができる。
【００６２】
第１の板状部６０１は、意匠面部６００が閉じている状態において水平面に対して傾斜する斜面部６０１Ｃ１と、意匠面部６００が閉じている状態において鉛直方向に平行に配置され、照明ランプユニット１１３のユニット本体１１３Ｂに対向するように設けられる曲げ部６０１Ｃ２とが形成されているものである。曲げ部６０１Ｃ２が形成されていることで、サービスマンなどが意匠面部６００を動かしているときに端部で手指を傷付けてしまうことを抑制することができる。また、曲げ部６０１Ｃ２が形成されていることで、意匠面部６００の上側に、照明ランプユニット１１３から照射された光が侵入してしまうことを抑制し、より高効率に室内に光を照射することができる。
【００６３】
＜第２の板状部６０２＞
第２の板状部６０２は、一端側が第１の板状部６０１に回転自在に連結されているものである。また、第２の板状部６０２は、他端側が本体１１０の枠部１１０Ｂにスライド自在に支持されているものである。意匠面部４００が中間部１１０Ａ３を覆っている状態から開放している状態に移る場合において、第２の板状部６０２は、ピン部５０７及びスライド部５０８の作用によって移動する。第２の板状部６０２の短手辺部には、図１１及び図１２に示すように、一端側（下端側）に片部６０２Ａが形成されているとともに、他端側（上端側）に片部６０２Ｂが形成されているものである。
【００６４】
片部６０２Ａには、ピン部５０７が挿入される開口部（図示省略）が形成されている。そして、片部６０２Ａ及び片部６０１Ｂを重ね合わせた状態で、片部６０２Ａの開口部及び片部６０１Ｂの開口部にピン部５０７が挿入されている。
【００６５】
片部６０２Ｂには、第２の板状部６０２をスライド自在に支持するのに利用されるスライド部５０８が接続されている。スライド部５０８は、一端側が片部６０２Ｂに接続され、他端側が枠部１１０Ｂに形成されたスライド溝部６５０にスライド自在に取り付けられているものである。すなわち、第２の板状部６０２は、スライド部５０８及びスライド溝部６５０により枠部１１０Ｂにスライド自在に係止されている。
【００６６】
第２の板状部６０２は、意匠面部６００が閉じている状態において水平面に対して傾斜する斜面部６０２Ｃ１と、意匠面部６００が閉じている状態において鉛直方向に平行に配置され、照明ランプユニット１１３のユニット本体１１３Ｂに対向するように設けられる曲げ部６０２Ｃ２とが形成されているものである。曲げ部６０２Ｃ２の機能は、曲げ部６０１Ｃ２と同様である。
【００６７】
ここで、連結部Ｌ４は、片部６０１Ｂ、片部６０２Ａ及びピン部５０７に対応する構成である。
【００６８】
［動作説明］
図１３は、本実施の形態２に係る照明装置１００Ｂの意匠面部６００を開いた状態の斜視図である。図１４ａは、意匠面部６００が閉じている状態を説明する縦断面図である。図１４ｂは、意匠面部６００が閉じている状態における電源端子台２０１と意匠面部６００との関係を説明する縦断面図である。図１５ａは、意匠面部６００が開いている状態を説明する縦断面図である。図１５ｂは、意匠面部６００が開いている状態における電源端子台２０１と意匠面部６００との関係を説明する縦断面図である。図１３〜図１５を参照して照明装置１００Ｂの意匠面部６００の開閉動作について説明する。
【００６９】
図１４ａに示すように、意匠面部６００を閉じている状態では、意匠面部６００の上側（中間部１１０Ａ３）が露出していない。この図１４ａに示す状態から、図１３及び図１５に示すように意匠面部６００の第２の板状部６０２をスライド移動させると、連結部Ｌ４の軸部（ピン部５０７）の作用により、第１の板状部６０１及び第２の板状部６０２が、折りたたまれる。すなわち、第２の板状部６０２が、第１の板状部６０１側に寄る。これにより、意匠面部６００の上側（中間部１１０Ａ３）が露出する。
【００７０】
ここで、図１４ｂに示すように、意匠面部６００が閉状態のときにおいて、第２の板状部６０２の上端の高さ位置Ｚ１は、実施の形態１で説明した第４の板状部４０４の上端の高さ位置Ｚ２よりも低くなっている。具体的には、第２の板状部６０２は、第２の板状部６０２の曲げ部６０２Ｃ２の上端が、電源端子台２０１よりも低くなるように配置されている。このため、スライド溝部６４０が水平方向に平行に形成されていても、第２の板状部６０２が電源端子台２０１などと干渉してしまうことがないようになっている。
【００７１】
［実施の形態２に係る照明装置１００Ｂの有する効果］
本実施の形態２に係る照明装置１００Ｂは、２つの板状部で意匠面部６００を構成したものである。このように、２つの板状部で構成した意匠面部６００を有する照明装置１００Ｂについても、実施の形態１に係る照明装置１００と同様の効果を有する。
【符号の説明】
【００７２】
１００  照明装置、１００Ｂ  照明装置、１１０  本体、１１０Ａ  骨格部、１１０Ａ１  平面部、１１０Ａ２  立設部、１１０Ａ３  中間部、１１０Ｂ  枠部、１１０Ｂ１  第１の面部、１１０Ｂ２  第２の面部、１１０Ｂ３  第３の面部、１１０Ｂ４  第４の面部、１１０Ｂ５  設置部、１１３  照明ランプユニット、１１３Ａ  照明ランプ、１１３Ｂ  ユニット本体、１１４  カバー、１１４Ａ  平面部、１１４Ａ１  開口部、１１４Ｂ  爪部、１１４Ｃ  片部、１１４Ｄ  ネジ、２００  点灯装置、２０１  電源端子台、３００  取付穴部、３０１  スリット、４００  意匠面部、４００Ｂ  意匠面部、４０１  第１の板状部、４０１Ａ  片部、４０１Ｂ  片部、４０２  第２の板状部、４０２Ａ  片部、４０２Ｂ  片部、４０３  第３の板状部、４０３Ａ  片部、４０３Ｂ  片部、４０４  第４の板状部、４０４Ａ  片部、４０４Ｂ  片部、４０４Ｃ  切欠部、４５０  スライド溝部、４５０Ａ  傾斜部、４５０Ｂ  ストッパー部、４５１  穴部、５０１  接続部、５０２  ピン部、５０３  ピン部、５０４  ピン部、５０５  スライド部、５０６  接続部、５０７  ピン部、５０８  スライド部、６００  意匠面部、６０１  第１の板状部、６０１Ａ  片部、６０１Ｂ  片部、６０１Ｃ１  斜面部、６０１Ｃ２  曲げ部、６０２  第２の板状部、６０２Ａ  片部、６０２Ｂ  片部、６０２Ｃ１  斜面部、６０２Ｃ２  曲げ部、６４０  スライド溝部、６５０  スライド溝部、６５０Ａ  水平部、６５０Ｂ  ストッパー部、６５０Ｃ  ストッパー部、Ｌ１  連結部、Ｌ２  連結部、Ｌ３  連結部、Ｌ４  連結部、Ｌ１０  薄膜部材、Ｔ１  解放部、Ｔ２  解放部。
【図１】
2015225800.tif 000003
【図２】
2015225800.tif 000004
【図３】
2015225800.tif 000005
【図４】
2015225800.tif 000006
【図５】
2015225800.tif 000007
【図６】
2015225800.tif 000008
【図７ａ】
2015225800.tif 000009
【図７ｂ】
2015225800.tif 000010
【図８ａ】
2015225800.tif 000011
【図８ｂ】
2015225800.tif 000012
【図９】
2015225800.tif 000013
【図１０】
2015225800.tif 000014
【図１１】
2015225800.tif 000015
【図１２】
2015225800.tif 000016
【図１３】
2015225800.tif 000017
【図１４ａ】
2015225800.tif 000018
【図１４ｂ】
2015225800.tif 000019
【図１５ａ】
2015225800.tif 000020
【図１５ｂ】
2015225800.tif 000021